(57)【要約】【課題】異なる内容物を入れた容器を好みに応じ選択し、その選択した容器どうしを連結することで内容物を混合して飲用等をすることができるようにした容器を提案する。【解決手段】底面に切開可能な蓋部材６を有し且つ該底面に切開片７が外方へ突設されるとともに、底部外周面に雄型連結部４が形成された上部容器１と、天井面に切開可能な蓋部材１３を有し且つ該天井面に切開片１４が外方へ突設されるとともに、天井部内周面に雌型連結部１１が形成された下部容器１０と、から少なくともなり、これら上下部容器の雄雌型連結部を互いに連結する動作に伴って両者の蓋部材が相手方の切開片により切開されて互いの内容物が混合されるようになっていることを特徴とした混合容器を提供する。【選択図】  図１
2005231692.tif 000002
【特許請求の範囲】
【請求項１】
底面に切開可能な蓋部材を有し且つ該底面に切開片が外方へ突設されるとともに、底部外周面に雄型連結部が形成された上部容器と、天井面に切開可能な蓋部材を有し且つ該天井面に切開片が外方へ突設されるとともに、天井部内周面に雌型連結部が形成された下部容器と、から少なくともなり、これら上下部容器の雄雌型連結部を互いに連結する動作に伴って両者の蓋部材が相手方の切開片により切開されて互いの内容物が混合されるようになっていることを特徴とする混合容器。
【請求項２】
上部容器及び下部容器の雄雌型連結部が互いに相手と螺合する雄雌型螺合部とされ、各切開片が、上下部容器連結時の螺合動作に伴って回転することにより相手方の蓋部材を切開する請求項１に記載の混合容器。
【請求項３】
上部容器は、底部内周面に周設されたフランジに蓋部材が封着されて底面をなし、この蓋部材表面に切開片を接着してあり、下部容器は、天井部内周面に周設されたフランジに蓋部材が封着されて天井面をなし、この蓋部材表面に切開片を接着してある請求項１又は請求項２に記載の混合容器。
【請求項４】
請求項１又は請求項２に記載の混合容器における上部容器用の容器であって、底面に切開可能な蓋部材を有し且つ該底面に切開片が外方へ突設されるとともに、底部外周面に雄型連結部が形成されてなる容器。
【請求項５】
底部内周面に周設されたフランジに蓋部材が封着されて底面をなし、この蓋部材表面に切開片を接着してある請求項４に記載の容器。
【請求項６】
請求項１又は請求項２に記載の混合容器における下部容器用の容器であって、天井面に切開可能な蓋部材を有し且つ該天井面に切開片が外方へ突設されるとともに、天井部内周面に雌型連結部が形成されてなる容器。
【請求項７】
天井部内周面に周設されたフランジに蓋部材が封着されて天井面をなし、この蓋部材表面に切開片を接着してある請求項６記載の容器。
【請求項８】
請求項１に記載の混合容器における上部容器と下部容器との間に連結する中間部容器であって、底面に切開可能な蓋部材を有し且つ該底面に切開片が外方へ突設されるとともに底部外周面に雄型連結部が形成され、そして天井面に切開可能な蓋部材を有し且つ該天井面に切開片が外方へ突設されるとともに天井部内周面に雌型連結部が形成された中間部容器。
【請求項９】
請求項２に記載の混合容器における上部容器と下部容器との間に連結する中間部容器であって、底面に切開可能な蓋部材を有し且つ該底面に切開片が外方へ突設されるとともに底部外周面に雄型螺合部が形成され、そして天井面に切開可能な蓋部材を有し且つ該天井面に切開片が外方へ突設されるとともに天井部内周面に雌型螺合部が形成された中間部容器。
【請求項１０】
底部及び天井部内周面にそれぞれ周設されたフランジに各蓋部材が封着されて底面及び天井面をなし、これら蓋部材表面に各切開片を接着してある請求項８又は請求項９に記載の中間部容器。
【請求項１１】
底面に切開可能な蓋部材を有し且つ該底面に切開片が外方へ突設されるとともに、底部内周面に雌型連結部が形成された上部容器と、天井面に切開可能な蓋部材を有し且つ該天井面に切開片が外方へ突設されるとともに、天井部外周面に雄型連結部が形成された下部容器と、から少なくともなり、これら上下部容器の雄雌型連結部を互いに連結する動作に伴って両者の蓋部材が相手方の切開片により切開されて互いの内容物が混合されるようになっていることを特徴とする混合容器。
【請求項１２】
上部容器及び下部容器の雄雌型連結部が互いに相手と螺合する雄雌型螺合部とされ、各切開片が、上下部容器連結時の螺合動作に伴って回転することにより相手方の蓋部材を切開する請求項１１に記載の混合容器。
【請求項１３】
上部容器は、底部内周面に周設されたフランジに蓋部材が封着されて底面をなし、この蓋部材表面に切開片を接着してあり、下部容器は、天井部内周面に周設されたフランジに蓋部材が封着されて天井面をなし、この蓋部材表面に切開片を接着してある請求項１１又は請求項１２に記載の混合容器。
【請求項１４】
請求項１１又は請求項１２に記載の混合容器における上部容器用の容器であって、底面に切開可能な蓋部材を有し且つ該底面に切開片が外方へ突設されるとともに、底部内周面に雌型連結部が形成されてなる容器。
【請求項１５】
底部内周面に周設されたフランジに蓋部材が封着されて底面をなし、この蓋部材表面に切開片を接着してある請求項１４に記載の容器。
【請求項１６】
請求項１１又は請求項１２に記載の混合容器における下部容器用の容器であって、天井面に切開可能な蓋部材を有し且つ該天井面に切開片が外方へ突設されるとともに、天井部外周面に雄型連結部が形成されてなる容器。
【請求項１７】
天井部内周面に周設されたフランジに蓋部材が封着されて天井面をなし、この蓋部材表面に切開片を接着してある請求項１６記載の容器。
【請求項１８】
請求項１１に記載の混合容器における上部容器と下部容器との間に連結する中間部容器であって、底面に切開可能な蓋部材を有し且つ該底面に切開片が外方へ突設されるとともに底部内周面に雌型連結部が形成され、そして天井面に切開可能な蓋部材を有し且つ該天井面に切開片が外方へ突設されるとともに天井部外周面に雄型連結部が形成された中間部容器。
【請求項１９】
請求項１２に記載の混合容器における上部容器と下部容器との間に連結する中間部容器であって、底面に切開可能な蓋部材を有し且つ該底面に切開片が外方へ突設されるとともに底部内周面に雌型螺合部が形成され、そして天井面に切開可能な蓋部材を有し且つ該天井面に切開片が外方へ突設されるとともに天井部外周面に雄型螺合部が形成された中間部容器。
【請求項２０】
底部及び天井部内周面にそれぞれ周設されたフランジに各蓋部材が封着されて底面及び天井面をなし、これら蓋部材表面に各切開片を接着してある請求項１８又は請求項１９に記載の中間部容器。
【発明の詳細な説明】
【技術分野】
【０００１】
本発明は、液体や粉末などを入れる容器、好適にはボトルや缶型の容器に関する。
【背景技術】
【０００２】
清涼飲料水等の容器としては一般に、ＰＥＴを用いたペットボトルやボトル型のアルミ缶が広く使用されている。このような容器に関しては今までに、特許文献１や特許文献２，３のように、種類の異なる内容物を同時に入れられるような工夫を凝らしたものが提案されている。
【０００３】
【特許文献１】特開平７−２２７５
【特許文献２】登録実用新案第３０１１０６３号
【特許文献３】特開２００３−２１２２２６
【０００４】
これら容器はいずれも、異なる種類の内容物をそれぞれ味わうことができるように、各内容物が混じることの無いよう工夫されている。しかし、ただ味の違うものをそれぞれ味わえるというだけでは、嗜好の多様化している現在ではヒットする商品にはなりにくくなっている。
【発明の開示】
【発明が解決しようとする課題】
【０００５】
そこで、本発明ではさらに一工夫を凝らし、異なる内容物を入れた容器を好みに応じ選択し、その選択した容器どうしを連結することで内容物を混合して飲用等をすることができるようにした容器を提案するものである。
【課題を解決するための手段】
【０００６】
本発明によれば、底面に切開可能な蓋部材を有し且つ該底面に切開片が外方へ突設されるとともに、底部外周面に雄型連結部が形成された上部容器と、天井面に切開可能な蓋部材を有し且つ該天井面に切開片が外方へ突設されるとともに、天井部内周面に雌型連結部が形成された下部容器と、から少なくともなり、これら上下部容器の雄雌型連結部を互いに連結する動作に伴って両者の蓋部材が相手方の切開片により切開されて互いの内容物が混合されるようになっていることを特徴とした混合容器を提供する。あるいは、底面に切開可能な蓋部材を有し且つ該底面に切開片が外方へ突設されるとともに、底部内周面に雌型連結部が形成された上部容器と、天井面に切開可能な蓋部材を有し且つ該天井面に切開片が外方へ突設されるとともに、天井部外周面に雄型連結部が形成された下部容器と、から少なくともなり、これら上下部容器の雄雌型連結部を互いに連結する動作に伴って両者の蓋部材が相手方の切開片により切開されて互いの内容物が混合されるようになっていることを特徴とした混合容器を提供する。
【０００７】
さらに本発明では、底面に切開可能な蓋部材を有し且つ該底面に切開片が外方へ突設されるとともに底部外周面に雄型連結部が形成され、そして天井面に切開可能な蓋部材を有し且つ該天井面に切開片が外方へ突設されるとともに天井部内周面に雌型連結部が形成された中間部容器、あるいは、底面に切開可能な蓋部材を有し且つ該底面に切開片が外方へ突設されるとともに底部内周面に雌型連結部が形成され、そして天井面に切開可能な蓋部材を有し且つ該天井面に切開片が外方へ突設されるとともに天井部外周面に雄型連結部が形成された中間部容器を提供する。この中間部容器は、上部容器と下部容器との間に連結して使用するものである。
【０００８】
これら上部、中間部、下部容器の各雄雌型連結部は互いに相手と螺合する雄雌型螺合部とするのが好ましく、この場合の切開片は、その連結動作である螺合動作に伴って回転することにより相手方の蓋部材を切開していくことになり、蓋部材を大きく切開することができ、内容物が混合しやすくなる。さらに、上部容器は、底部内周面に周設されたフランジに蓋部材が封着されて底面をなし、この蓋部材表面に切開片を接着してあり、また下部容器は、天井部内周面に周設されたフランジに蓋部材が封着されて天井面をなし、この蓋部材表面に切開片を接着してあり、そして中間部容器は、底部及び天井部内周面にそれぞれ周設されたフランジに各蓋部材が封着されて底面及び天井面をなし、これら蓋部材表面に各切開片を接着してあるものとすることができる。
【発明の効果】
【０００９】
異なる種類の内容物を混合可能な容器としては、医薬分野で特許文献４，５に示されるような容器も発案されている。しかし、これらは構造が複雑で、飲料容器などに適用するにはコスト的に無理があるし、上下の二室を別々に販売することが想定されていない。
【００１０】
【特許文献４】特開平７−９６９７８
【特許文献５】特開平７−９６９７９
【００１１】
これに対し、本願発明の混合容器によれば、上部容器の底部と下部容器の天井部に嵌合や螺合による連結部を形成するだけの単純な構造で済むので、ほとんどコストアップにはつながらないし、その連結動作で両者の蓋部材が切開されるので、別途の切開手段なども必要ない。また、上部容器、中間部容器、下部容器をそれぞれ単体別売りするようにしておけば、各複数種類の中から好みのものをそれぞれ選択して連結し、好きなように内容物を混合することができるようになる。
【発明を実施するための最良の形態】
【００１２】
図１及び図２に、本発明の混合容器としてボトル型の例を示している。図１は断面図、図２は外観斜視図で、上下部容器を連結して使用する飲料用混合容器の一例である。
【００１３】
上部容器１は、ＰＥＴ製のボトル型容器、いわゆるペットボトルの上半分であり、天井部（頭部）に飲み口となる口部２が形成され、キャップ３で密閉されている。一方、上部容器１の底部には、その外周面に雄型螺合部４が形成されるとともに内周面に内向きのフランジ５が周設されて突出している。この一体成形のフランジ５が台座となって、蓋部材６が容器底面をなすように封着されている。
【００１４】
蓋部材６は、プラスチック製等の薄膜で、内容物Ａを上部容器１内に入れてからフランジ５に周縁部分を接着剤や溶融により固定することで封着されている。そして、この底面とした蓋部材６の表面に、外方へ突出するようにＬ字状の切開片７が接着されている。すなわち、切開片７は、Ｌ字状の底辺を接着剤等で蓋部材６の表面に接着することで立設されている。切開片７は先端側を鋭利にしてあり、彫刻刀の印刀形となった金属やプラスチック製である。
【００１５】
このような上部容器１は、その雄型螺合部４に別途の保護キャップ（図示略）を螺合させて、蓋部材６及び切開片７を隠した状態で単品販売される。
【００１６】
一方、下部容器１０は、上部容器１と同材質のペットボトルの下半分であり、その天井部の内周面に、雌型螺合部１１が形成されるとともに内向きのフランジ１２が周設されて突出している。そして、上部容器１の場合と同様、一体成形のフランジ１２が台座となって蓋部材１３が容器天井面をなすように封着されている。
【００１７】
蓋部材１３は、これも同様にプラスチック製等の薄膜で、内容物Ｂを下部容器１０内に入れてからフランジ１２に周縁部分を接着剤や溶融により固定することで封着されている。そして、この天井面とした蓋部材１３の表面に、外方へ突出するようにＬ字状の切開片１４が接着されている。切開片１４も切開片７同様で、Ｌ字状の底辺を接着剤等で蓋部材１３の表面に接着してあり、彫刻刀の印刀形とした金属やプラスチック製である。
【００１８】
本例の下部容器１０にはこの他に、フランジ１２の上に載るようにしてＯリングのパッキング材１５が配置されている。このパッキング材１５は、上部容器１を連結した際にその雄型連結部４の端部と当接して密閉し、液漏れを防ぐ役目をもつ。
【００１９】
このような下部容器１０もまた、その雌型螺合部１１に別途の保護キャップ（図示略）を螺合させて、蓋部材１３及び切開片１４を隠した状態で単品販売される。
【００２０】
本例では混合容器における連結部の例として雄雌型螺合部４，１１を示している。この他にも連結部としては、嵌合型としたりすることも可能であるが、連結動作時の切開性や結合の確実性から、螺合型とするのが適している。また、図示の例のように１本のペットボトルを上下半々の容積に分割した上下容器１，１０としてもよいが、上下容器１，１０の容積を適宜変更したものも用意すれば、混合比率を適当に変えることができるようにもなる。
【００２１】
以上のような上部容器１と下部容器１０とは、店頭で別売りされており、内容物Ａ，Ｂとしてはたとえば別種類の果汁が入れられている。したがって、好みに応じて種類の異なる果汁入りの上部容器１と下部容器１０とを購入し、互いに連結して混合することで、好みのミックスジュースを飲めることになる。
【００２２】
連結にあたっては、まず両者の保護キャップをとり、雄雌型螺合部４，１１を螺合させる。すると、ある程度螺合したところで互いの切開片７，１４が相手方の蓋部材６，１３に突き当たり、そこからさらに螺合させることで、その螺合回転に伴って切開片７，１４の刃が蓋部材６，１３を切開していく。半周も切開されれば蓋部材６，１３は十分に開き、互いの内容物Ａ，Ｂが混じり合い、シェイクすることができるようになる。このときに、蓋部材６，１３の材質を工夫して、張力を効かせた状態で貼り付けられるようにしておくと、切開とともに蓋部材６，１３が縮むことになり、大きく口が開くのでよい。あるいは、形状記憶素材で形成したりすることも考えられる。
【００２３】
このような混合容器の用途は、例示すると、（１）栄養ドリンク、（２）カクテル、（３）サラダドレッシング、（４）ふりかけ、（５）塗料、（６）２液混合型接着剤、等々をあげることができる。
【００２４】
（１）の場合、内容物Ａは栄養素、内容物Ｂは味の種類を決める果汁とすれば、好みの栄養素を好みの味で摂取することができる。（２）の場合、内容物Ａは酒類、内容物Ｂは果汁とすれば、各種カクテルを好みに応じてつくり、飲むことができる。（３）の場合、内容物Ａは油類、内容物Ｂは味を決める醤油や酢、果汁等とすれば、好みのドレッシングを簡単につくり出すことができる。また、これらの場合、賞味期限の異なるものを分けることで、賞味期限切れの無駄をなくすことも可能になる。
【００２５】
（４）の場合は、内容物Ａ，Ｂに異なる種類のふりかけを入れておくことで、好みに応じて混ぜ合わせることができる。（５）の場合は、内容物Ａ，Ｂに違う色の塗料を入れ、さらに上下部容器１，１０の容積を適宜変えたものを用意すれば、多種類の色を調合することが簡単にでき、濃くなった塗料を薄め液で薄めるような組み合わせもできる。またこの場合、上部容器１の口部２に、キャップ３に代えて刷毛を取り付けられるよう用意しておくと、非常に便利である。
【００２６】
以上は、上下部容器１，１０からなる２分割型であるが、この他にも、中間部容器をさらに形成して、３分割以上の多分割型とすることも可能である。この例を図３及び図４に示す。図３は断面図、図４は中間部容器の外観斜視図である。
【００２７】
本例の中間部容器２０は、天井部内周面に上部容器１と連結するための雌型螺合部２１が形成され、そして底部外周面に下部容器１０と連結するための雄型螺合部２２が形成されている。雄雌型螺合部２１，２２はそれぞれ上下部容器１，１０の雄雌型螺合部４，１１と同じ形状で、内周面に周設されるフランジ２３，２４、これに封着される蓋部材２５，２６、これに接着される切開片２７，２８も、それぞれ上下部容器１，１０に係るものと同様のものである。また、天井部内周面のフランジ２３上には、下部容器１０と同じくパッキング材２９が配置されている。
【００２８】
この中間部容器２０の天井部へ上部容器１を連結し、底部へ下部容器１０を連結すれば、３種類の異なる内容物Ａ，Ｂ，Ｃを混合することができる。また、このような中間部容器２０を２つ以上連結することも可能であり、多種類の内容物を好みに応じて混ぜ合わせることも可能となる。販売時には、その雄雌型螺合部２１，２２のそれぞれに保護キャップを螺合させて単品販売されることになる。
【図面の簡単な説明】
【００２９】
【図１】本発明の実施例を示した断面図。
【図２】図１の実施例の外観斜視図。
【図３】図１の実施例に中間部容器を加えた例を示した断面図。
【図４】図３に示す中間部容器の外観斜視図。
【符号の説明】
【００３０】
１  上部容器
２  口部
３  キャップ
４  雄型螺合部（雄型連結部）
５  フランジ
６  蓋部材
７  切開片
１０  下部容器
１１  雌型螺合部（雌型連結部）
１２  フランジ
１３  蓋部材
１４  切開片
１５  パッキング材
２０  中間部容器
２１  雌型螺合部（雌型連結部）
２２  雄型螺合部（雄型連結部）
２３，２４  フランジ
２５，２６  蓋部材
２７，２８  切開片
２９  パッキング材
【図１】
2005231692.tif 000003
【図２】
2005231692.tif 000004
【図３】
2005231692.tif 000005
【図４】
2005231692.tif 000006